(57)【要約】【課題】血管硬さの測定結果を適切に活用するための情報を測定者等に提供できる生体情報測定装置を提供する。【解決手段】生体情報測定装置１は、生体に関する情報の測定結果に基づいて、自律神経の機能に関する指標である自律神経指標、および、血管硬さに関する指標である血管硬さ指標を算出する。【選択図】図１
2016016279.tif 000002
【特許請求の範囲】
【請求項１】
生体に関する情報の測定結果に基づいて、自律神経の機能に関する指標である自律神経指標、および、血管硬さに関する指標である血管硬さ指標を算出する
生体情報測定装置。
【請求項２】
前記自律神経指標および前記血管硬さ指標を関連付けた情報である硬さ評価情報を算出する
請求項１に記載の生体情報測定装置。
【請求項３】
前記測定結果に基づいて血圧を示す血圧値をさらに算出し、
前記自律神経指標および前記血圧値を関連付けた情報である血圧評価情報を算出する
請求項１または２に記載の生体情報測定装置。
【請求項４】
カフにより測定された結果である前記測定結果に基づいて、前記自律神経指標、前記血管硬さ指標、および、血圧を示す血圧値を算出する
請求項１〜３のいずれか一項に記載の生体情報測定装置。
【請求項５】
心臓の電気的な情報および容積脈波に関する情報の少なくとも一方を含む前記測定結果に基づいて、前記自律神経指標および前記血管硬さ指標を算出する
請求項１〜３のいずれか一項に記載の生体情報測定装置。
【請求項６】
自律神経の機能に関する指標である自律神経指標と血管硬さに関する指標である血管硬さ指標とを関連付けた情報である硬さ評価情報を報知装置に出力させる
生体情報測定装置。
【発明の詳細な説明】
【技術分野】
【０００１】
本発明は、生体情報測定装置に関する。
【背景技術】
【０００２】
生体の血管硬さに関する指標を測定する生体情報測定装置が知られている。その一例である特許文献１の生体情報測定装置は、脈拍に同期して発生する脈波を被測定者の腕に装着されたカフにより検出し、検出した脈波を演算処理することにより被測定者の血管硬さに関する指標を算出する。算出された指標は生体情報測定装置の表示部に表示される。このため、被測定者は自身の血管硬さを認識することができる。
【先行技術文献】
【特許文献】
【０００３】
【特許文献１】特開２０１３−１１８９０２号公報
【発明の概要】
【発明が解決しようとする課題】
【０００４】
生体の動脈血管は、平滑筋細胞、エラスチン、および、コラーゲン等の物質により構成され、主にこれらの物質の特性により血管硬さが決められる。例えば、糖尿病患者または高齢者の血管は、エラスチンの減少およびコラーゲンの増加に起因して器質的に硬くなるとの見解がある。このため、例えば特許文献１の生体情報測定装置を用いて血管硬さに関する指標を測定し、その測定結果を用いて例えば病気の進行度合いを診断することができる。
【０００５】
一方、血管硬さは、被測定者の自律神経の影響により機能的に硬くなることがある。このため、血管が器質的に軟らかい場合であっても自律神経の影響により血管が機能的に硬化したときには、上記生体情報測定装置等により測定される血管硬さに血管の機能的な硬化も反映される。このため、血管硬さの測定の目的が血管の器質的な硬さを測定することである場合には、その目的に見合う測定結果を測定者または被測定者（以下では「測定者等」）に提供できない。
【０００６】
本発明の目的は、血管硬さの測定結果を適切に活用するための情報を測定者等に提供できる生体情報測定装置を提供することである。
【課題を解決するための手段】
【０００７】
本発明の一形態に従う生体情報測定装置は、生体に関する情報の測定結果に基づいて、自律神経の機能に関する指標である自律神経指標、および、血管硬さに関する指標である血管硬さ指標を算出する。
【０００８】
本発明の別の一形態に従う生体情報測定装置は、自律神経の機能に関する指標である自律神経指標と血管硬さに関する指標である血管硬さ指標とを関連付けた情報である硬さ評価情報を報知装置に出力させる。
【発明の効果】
【０００９】
生体情報測定装置の一形態によれば、血管硬さの測定結果を適切に活用するための情報を測定者等に提供できる。
【図面の簡単な説明】
【００１０】
【図１】実施の形態１の生体情報測定装置の模式図。
【図２Ａ】実施の形態１の自律神経指標の測定方法に関するフローチャート。
【図２Ｂ】実施の形態１の血管硬さ指標の測定方法に関するフローチャート。
【図２Ｃ】実施の形態１の血圧値の測定方法に関するフローチャート。
【図３Ａ】実施の形態１のカフの内圧と時間との関係、および、脈波と時間との関係の一例を示すグラフ。
【図３Ｂ】図３ＡのＡ部の拡大図。
【図４】実施の形態１の硬さ評価情報の表示方法の一例を示すマップ。
【図５】実施の形態１の血圧評価情報の表示方法の一例を示すマップ。
【図６】実施の形態２の生体情報測定装置の模式図。
【図７Ａ】実施の形態２の自律神経指標の測定方法に関するフローチャート。
【図７Ｂ】実施の形態２の血管硬さ指標の測定方法に関するフローチャート。
【図８】実施の形態３の生体情報測定装置の模式図。
【図９】実施の形態３の血管硬さ指標の測定方法に関するフローチャート。
【発明を実施するための形態】
【００１１】
（生体情報測定装置が取り得る形態の一例）
〔１〕本発明の一形態に従う生体情報測定装置は、生体に関する情報の測定結果に基づいて、自律神経の機能に関する指標である自律神経指標、および、血管硬さに関する指標である血管硬さ指標を算出する。
【００１２】
血管が器質的および機能的に硬化している場合、血管硬さ指標はそれぞれの要因の影響を受けた血管の硬さを示す。一方、自律神経指標は自律神経の影響により血管が機能的に硬化している可能性を示唆することがある。このため、これらの２つの指標が提示されることにより、または、２つの指標が関連付けられることにより、血管硬さ指標により示される血管硬さがその硬さを有する要因を推定することができる。
【００１３】
本生体情報測定装置は、以上の事項を踏まえ自律神経指標および血管硬さ指標を算出する。このため、これらの指標を直接的もしくは間接的に測定者等に提供すること、または、これらの指標を関連付けた情報を直接的もしくは間接的に測定者等に提供することができる。このため、測定者等は本生体情報測定装置から直接的または間接的に提供される自律神経指標および血管硬さ指標に基づいて、血管硬さ指標の妥当性を判断することができる。または、測定者等は本生体情報測定装置から直接的または間接的に提供される自律神経指標と血管硬さ指標との関係に基づいて、血管硬さ指標の妥当性を判断することができる。このように、本生体情報測定装置は血管硬さの測定結果を適切に活用するための情報を測定者等に提供できる。
【００１４】
〔２〕前記生体情報測定装置の一形態は、前記自律神経指標および前記血管硬さ指標を関連付けた情報である硬さ評価情報を算出する。
本生体情報測定装置は、自律神経指標および血管硬さ指標を関連付けた硬さ評価情報を直接的もしくは間接的に測定者等に提供することができる。このため、測定者等は本生体情報測定装置から直接的または間接的に提供される硬さ評価情報に基づいて、血管硬さ指標の妥当性を判断することができる。
【００１５】
〔３〕前記生体情報測定装置の一形態は、前記測定結果に基づいて血圧を示す血圧値をさらに算出し、前記自律神経指標および前記血圧値を関連付けた情報である血圧評価情報を算出する。
【００１６】
血圧が器質的および機能的に上昇または低下している場合、血圧値はそれぞれの要因の影響を受けた血圧を示す。一方、自律神経指標は自律神経の影響により血圧が機能的に上昇または低下している可能性を示唆することがある。このため、これらの２つの指標が提示されることにより、または、２つの指標が関連付けられることにより、血圧値により示される血圧がその大きさを有する要因を推定することができる。
【００１７】
本生体情報測定装置は、以上の事項を踏まえ自律神経指標および血圧値に基づいて血圧評価情報を算出する。このため、血圧評価情報を直接的もしくは間接的に測定者等に提供することができる。このため、測定者等は本生体情報測定装置から直接的または間接的に提供される血圧評価情報に基づいて、血圧値の妥当性を判断することができる。このように、本生体情報測定装置は血圧の測定結果を適切に活用するための情報を測定者等に提供できる。
【００１８】
〔４〕前記生体情報測定装置の一形態は、カフにより測定された結果である前記測定結果に基づいて、前記自律神経指標、前記血管硬さ指標、および、血圧を示す血圧値を算出する。
【００１９】
本生体情報測定装置によれば、カフにより測定される結果に基づいて上記３つの値が算出される。このため、上記３つの値を算出するために、それぞれの値に関する情報を個別に測定する場合よりも測定回数を少なくすることができる。このため、血管硬さ等を測定するための被測定者の負担が軽減される。
【００２０】
〔５〕前記生体情報測定装置の一形態は、心臓の電気的な情報および容積脈波に関する情報の少なくとも一方を含む前記測定結果に基づいて、前記自律神経指標および前記血管硬さ指標を算出する。
【００２１】
〔６〕本発明の別の一形態に従う生体情報測定装置は、自律神経の機能に関する指標である自律神経指標と血管硬さに関する指標である血管硬さ指標とを関連付けた情報である硬さ評価情報を報知装置に出力させる。
【００２２】
本生体情報測定装置は、自律神経指標および血管硬さ指標を関連付けた硬さ評価情報を報知装置により出力させる。この報知装置は、硬さ評価情報を視覚的または聴覚的に測定者等に提供する。このため、測定者等は本生体情報測定装置の報知装置から提供される硬さ評価情報に基づいて、血管硬さ指標の妥当性を判断することができる。このように、本生体情報測定装置は血管硬さの測定結果を適切に活用するための情報を測定者等に提供できる。
【００２３】
（実施の形態１）
図１を参照して、生体情報測定装置１の構成について説明する。
生体情報測定装置１は、内圧が変化するカフ１０、および、生体に関する情報を測定する測定装置２０を備える。
【００２４】
測定装置２０は、カフ１０の内圧を制御する圧力制御部３０、カフ１０の内圧を検出する圧力検出部４０、および、圧力検出部４０からの圧力信号に基づいて生体の脈波に関する情報を検出する脈波検出部５０を備える。測定装置２０は、自律神経の機能に関する指標である自律神経指標を算出する自律神経指標算出部６０、血管硬さに関する指標である血管硬さ指標を算出する血管硬さ指標算出部７０、および、血圧値を算出する血圧算出部８０をさらに備える。また、測定装置２０は、各算出部６０，７０，８０により算出された情報を記憶する記憶部９０、および、各算出部６０，７０，８０の情報を出力する報知装置である表示部１００をさらに備える。
【００２５】
圧力制御部３０は、樹脂製のチューブ１１を介してカフ１０と接続されている。圧力制御部３０は、チューブ１１を介してカフ１０にエアーを供給するエアーポンプ（図示略）、チューブ１１を介してカフ１０からエアーを排気するエアー排気弁（図示略）、および、エアーポンプとエアー排気弁とを制御する制御装置（図示略）を備える。圧力制御部３０は、エアーポンプを駆動することによりカフ１０の内圧を上昇させ、エアー排気弁を開放することによりカフ１０の内圧を下降させる。
【００２６】
圧力検出部４０は、カフ１０の内圧を測定する圧力センサー（図示略）、および、圧力センサーにより測定された圧力をデジタル信号である圧力信号に変換するＡ／Ｄ変換器（図示略）を備える。圧力検出部４０は、カフ１０の内圧に関する情報を含む圧力信号を脈波検出部５０、血管硬さ指標算出部７０、および、血圧算出部８０に出力する。
【００２７】
脈波検出部５０は、圧力信号を増幅させる増幅器（図示略）、および、増幅された圧力信号から所定の周波数を除去するフィルター回路（図示略）を備える。脈波検出部５０は、圧力信号から所定の周波数を除去することにより生体の脈波に関する情報を含む脈波信号を検出する。脈波検出部５０は、この脈波信号を自律神経指標算出部６０、血管硬さ指標算出部７０、および、血圧算出部８０に出力する。
【００２８】
自律神経指標算出部６０は、図３Ａに示されるように、脈波信号から生体の脈波を時間軸に示したときのピークを検出し、連続している２つのピークの間隔であって心拍の間隔と相関する心拍間隔ＰＰ（図３Ｂ参照）を演算する。図１に示されるように、自律神経指標算出部６０は、この心拍間隔ＰＰの変動に基づいて自律神経指標である自律神経活動度と、交感神経および副交感神経の優位性とを算出する。なお、この自律神経指標は、一例として、数値により表される。
【００２９】
血管硬さ指標算出部７０は、脈波信号から脈波の波高値Ｈ（図３Ｂ参照）を検出し、カフ１０の内圧の上昇開始から上昇終了までに検出された複数の波高値Ｈを累積加算した値である脈波累積加算値を演算する。そして、血管硬さ指標算出部７０は、カフ１０の内圧と脈波累積加算値との関係を推定し、この関係を所定のアルゴリズムを用いて解析することにより血管硬さ指標を算出する。なお、この血管硬さ指標は、一例として、数値により表される。
【００３０】
血圧算出部８０は、脈波信号から脈波の複数の波高値Ｈを検出し、その波高値Ｈとカフ１０の内圧との関係を推定する。そして、血圧算出部８０は、この関係をオシロメトリック法等の所定のアルゴリズムを用いて解析することにより最高血圧、最低血圧、および、平均血圧を算出する。
【００３１】
記憶部９０は、記憶装置（図示略）および時計（図示略）を備える。記憶部９０は、測定日および時間等と対応付けて、各算出部６０，７０，８０から出力される自律神経指標、血管硬さ指標、および、血圧値等の情報を記憶する。
【００３２】
表示部１００の形態の一例は、液晶画面である。この液晶画面には、文字、数値、および、マップ等が表示される。表示部１００は、記憶部９０に記憶されている自律神経指標、血管硬さ指標、および、血圧値等の情報に関する文字、数値、および、マップ等を表示する。
【００３３】
図２Ａ〜図２Ｃを参照して、生体情報測定装置１の測定方法について説明する。
図２Ａは、自律神経指標の測定方法の一例を示している。被測定者は、カフ１０を上腕に装着し、生体情報測定装置１による測定を開始する。
【００３４】
圧力制御部３０は、ステップＳ１１において、カフ１０にエアーの供給を開始する。このため、カフ１０の内圧が上昇し始める。これにより、被測定者の上腕がカフ１０により締め付けられる。
【００３５】
圧力検出部４０は、ステップＳ１２において、カフ１０の内圧を検出し、この内圧に関する情報を含む圧力信号を脈波検出部５０、血管硬さ指標算出部７０、および、血圧算出部８０に出力する。
【００３６】
脈波検出部５０は、ステップＳ１３において、圧力信号から被測定者の脈波に関する情報を抽出した脈波信号を検出する。脈波検出部５０は、検出した脈波信号を自律神経指標算出部６０、血管硬さ指標算出部７０、および、血圧算出部８０に出力する。
【００３７】
自律神経指標算出部６０は、ステップＳ１４において、脈波信号から心拍間隔ＰＰ（図３Ｂ参照）を演算する。自律神経指標算出部６０は、ステップＳ１５において、この心拍間隔ＰＰの変動を百分率で示したＰＩ値（percentage index）を演算する。このＰＩ値は、次の式［１］により演算される。
【００３８】
【数１】
2016016279.tif 000003
そして、自律神経指標算出部６０は、ステップＳ１６において、式［１］で演算されたＰＩ値の確率分布に基づいて、自律神経活動度を示すエントロピー値Ｅを演算する。このエントロピー値Ｅは、次の式［２］により演算される。なお、式［２］におけるｐ（ｉ）は、ＰＩ値の確率分布である。
【００３９】
【数２】
2016016279.tif 000004
この式［２］により演算されるエントロピー値Ｅが高い場合、自律神経の活動が活発であることを示している。エントロピー値Ｅが低い場合、自律神経の活動が不活発であることを示している。
【００４０】
また、自律神経指標算出部６０は、このステップＳ１６において、式［１］で演算されたＰＩ値に基づいて、交感神経および副交感神経の優位性を示すトーン値Ｔを演算する。このトーン値Ｔは、次の式［３］により演算される。
【００４１】
【数３】
2016016279.tif 000005
この式［３］により演算されるトーン値Ｔが高い場合、交感神経が優位であることを示している。トーン値Ｔが低い場合、副交感神経が優位であることを示している。
【００４２】
自律神経指標算出部６０は、式［２］および式［３］により演算されたエントロピー値Ｅおよびトーン値Ｔから、自律神経指標を算出する。
圧力制御部３０は、ステップＳ１７において、カフ１０からエアーを排気する。このため、カフ１０の内圧が下降し始める。これにより、被測定者の上腕へのカフ１０の締め付けが緩められる。以上のステップＳ１１〜ステップＳ１７により、自律神経指標の測定が終了する。
【００４３】
図２Ｂは、血管硬さ指標の測定方法の一例を示している。血管硬さ指標は、一例として、自律神経指標の測定と同時に測定される。なお、血管硬さ指標の測定方法におけるステップＳ２１〜ステップＳ２３、および、ステップＳ２７の内容は、ステップＳ１１〜ステップＳ１３、および、ステップＳ１７の内容と対応するため、その説明を省略する。
【００４４】
血管硬さ指標算出部７０は、ステップＳ２４において、脈波信号から脈波の波高値Ｈ（図３Ｂ参照）を検出する。血管硬さ指標算出部７０は、ステップＳ２５において、検出された複数の波高値Ｈから脈波累積加算値を演算する。
【００４５】
血管硬さ指標算出部７０は、ステップＳ２６において、縦軸を脈波累積加算値、横軸をカフ１０の内圧として、脈波累積加算値とカフ１０の内圧との関係を示す曲線（図示略）を推定して解析する。例えば、曲線が急な傾きを示す場合、血管が軟らかいと推定される。また、曲線が緩やかな傾きを示す場合、血管が硬いと推定される。血管硬さ指標算出部７０は、この曲線の傾きから血管硬さ指標を算出する。以上のステップＳ２１〜ステップＳ２７により、血管硬さ指標の測定が終了する。
【００４６】
図２Ｃは、血圧値の測定方法の一例を示している。血圧値は、一例として、自律神経指標の測定と同時に測定される。なお、血圧値の測定方法におけるステップＳ３１〜ステップＳ３３、および、ステップＳ３６の内容は、ステップＳ１１〜ステップＳ１３、および、ステップＳ１７の内容と対応するため、その説明を省略する。
【００４７】
血圧算出部８０は、ステップＳ３４において、脈波信号から脈波の複数の波高値Ｈ（図３Ｂ参照）を検出する。血圧算出部８０は、ステップＳ３５において、縦軸を波高値Ｈ、横軸をカフ１０の内圧として、波高値Ｈとカフ１０の内圧との関係を示す包絡線（図示略）を推定し、オシロメトリック法に基づいて解析する。例えば、包絡線のうちの波高値Ｈの最大値に対して波高値Ｈが所定の割合の大きさとなるときの高圧側のカフ１０の圧力が最高血圧と推定され、波高値Ｈの最大値に対して波高値Ｈが所定の割合の大きさとなるときの低圧側のカフ１０の圧力が最低血圧と推定される。また、波高値Ｈが最大値のときのカフ１０の圧力が平均血圧と推定される。以上のステップＳ３１〜ステップＳ３６により、血圧値の測定が終了する。
【００４８】
図４および図５を参照して、表示部１００の表示方法の一例について説明する。
図４に示されるように、生体情報測定装置１は硬さ評価情報を決めるための判定マップを備える。判定マップは２次元座標であり、自律神経指標の軸および血管硬さ指標の軸により規定される。判定マップには、自律神経の状態を判定するための第１の閾値Ｔ１、および、血管硬さの程度を判定するための第２の閾値Ｔ２が設定される。この各閾値Ｔ１，Ｔ２は、一例として、予め年代ごとのデータテーブルを用意し、被測定者の年代に即したものである。なお、被測定者は、例えば測定装置２０に備えられるタッチパネル（図示略）等により事前に自身の年齢等を入力する。
【００４９】
自律神経指標の軸は第１の閾値Ｔ１により、交感神経が優位であることを示す領域Ａ１、および、副交感神経が優位であることを示す領域Ａ２に区分される。血管硬さの軸は第２の閾値Ｔ２により、血管硬さが基準の硬さよりも硬いことを示す領域Ｂ１、および、血管硬さが基準の硬さよりも軟らかいことを示す領域Ｂ２に区分される。
【００５０】
判定マップは領域Ａ１、領域Ａ２、領域Ｂ１、および、領域Ｂ２の組み合わせにより４つの領域に区分される。第１の領域は領域Ａ１および領域Ｂ１が重畳する領域である。第２の領域は領域Ａ２および領域Ｂ１が重畳する領域である。第３の領域は領域Ａ１および領域Ｂ２が重畳する領域である。第４の領域は領域Ａ２および領域Ｂ２が重畳する領域である。
【００５１】
生体情報測定装置１は、算出した自律神経指標および血管硬さ指標を用いて判定マップにプロットし、そのプロットが属する領域を判定し、その判定結果に応じた硬さ評価情報を表示部１００に出力させる。一例によれば、以下のとおり表示部１００により硬さ評価情報が出力される。
【００５２】
第１の領域にプロットが属する場合、生体情報測定装置１は、自律神経の影響により血管が硬化している可能性を示す硬さ評価情報を表示部１００に出力させる。プロットが第１の領域に属する場合には、血管硬さ指標が第２の閾値Ｔ２よりも大きいため、血管硬さが基準の硬さよりも硬いことが判定できる。また、その場合には自律神経指標が第１の閾値Ｔ１よりも大きいため、交感神経が優位であることにより血管が機能的に硬化している可能性がある。このため、血管硬さが器質的な要因により基準の硬さよりも硬いか否かを特定できない。このため、生体情報測定装置１は第１の領域にプロットが属する場合、血管硬さが基準の硬さよりも硬い要因を確定せず、機能的な硬化がその要因に該当する可能性を示唆する硬さ評価情報を表示部１００に出力させる。なお、表示部１００は、再測定を促す情報を表示することが好ましい。
【００５３】
第２の領域にプロットが属する場合、生体情報測定装置１は、血管が器質的に硬化していることにより基準の硬さよりも硬いことを示唆する情報を表示部１００に出力させる。プロットが第２の領域に属する場合には、血管硬さ指標が第２の閾値Ｔ２よりも大きいため、血管硬さが基準の硬さよりも硬いことが判定できる。また、その場合には自律神経指標が第１の閾値Ｔ１よりも小さいため、交感神経の影響により血管が機能的に硬化している可能性が低い。このため、血管硬さが器質的な要因により基準の硬さよりも硬いことを特定できる。このため、生体情報測定装置１は第２の領域にプロットが属する場合、血管硬さが器質的な要因により基準の硬さよりも硬いことを示唆する硬さ評価情報を表示部１００に出力させる。
【００５４】
第３の領域にプロットが属する場合、生体情報測定装置１は、血管硬さが基準の硬さよりも軟らかく、かつ、交感神経が優位な緊張した状態であることを示唆する硬さ評価情報を表示部１００に出力させる。
【００５５】
第４の領域にプロットが属する場合、生体情報測定装置１は、血管硬さが基準の硬さよりも軟らかく、かつ、副交感神経が優位なリラックスした状態であることを示唆する硬さ評価情報を表示部１００に出力させる。
【００５６】
図５に示されるように、生体情報測定装置１は、血圧評価情報を決めるための判定マップを備える。判定マップは２次元座標であり、自律神経の軸および最高血圧の軸により規定される。判定マップには、自律神経の状態を判定するための第３の閾値Ｔ３、ならびに、血圧値の程度を判定するための第４の閾値Ｔ４および第５の閾値Ｔ５が設定される。この各閾値Ｔ３〜Ｔ５は、一例として、予め年代ごとのデータテーブルを用意し、被測定者の年代に即したものである。なお、被測定者は、例えば測定装置２０に備えられるタッチパネル（図示略）等により事前に自身の年齢等を入力する。
【００５７】
自律神経指標の軸は第３の閾値Ｔ３により、交感神経が優位であることを示す領域Ｃ１、および、副交感神経が優位であることを示す領域Ｃ２に区分される。血圧値の軸は第４の閾値Ｔ４および第５の閾値Ｔ５により、血圧値が基準の血圧よりも高いことを示す領域Ｄ１、血圧値が正常であることを示す領域Ｄ２、および、血圧値が基準の血圧よりも低いことを示す領域Ｄ３に区分される。
【００５８】
判定マップは領域Ｃ１、領域Ｃ２、領域Ｄ１、領域Ｄ２、および、領域Ｄ３の組み合わせにより６つの領域に区分される。第１の領域は領域Ｃ１および領域Ｄ１が重畳する領域である。第２の領域は領域Ｃ２および領域Ｄ１が重畳する領域である。第３の領域は領域Ｃ１および領域Ｄ２が重畳する領域である。第４の領域は領域Ｃ２および領域Ｄ２が重畳する領域である。第５の領域は領域Ｃ１および領域Ｄ３が重畳する領域である。第６の領域は領域Ｃ２および領域Ｄ３が重畳する領域である。
【００５９】
生体情報測定装置１は、算出した自律神経指標および血圧値を用いて判定マップにプロットし、そのプロットが属する領域を判定し、その判定結果に応じた血圧評価情報を表示部１００に出力させる。一例によれば、以下のとおり表示部１００により血圧評価情報が出力される。
【００６０】
第１の領域にプロットする場合、生体情報測定装置１は、自律神経の影響により血圧が高くなっている可能性を示す血圧評価情報を表示部１００に出力させる。プロットが第１の領域に属する場合には、血圧値が第４の閾値Ｔ４よりも大きいため、血圧値が基準の血圧よりも高いことが判定できる。また、その場合には自律神経指標が第３の閾値Ｔ３よりも大きいため、交感神経が優位であることにより血圧が機能的に高くなっている可能性がある。このため、血圧値が器質的な要因により基準の血圧よりも高いか否かを特定できない。このため、生体情報測定装置１は第１の領域にプロットが属する場合、血圧値が基準の血圧よりも高い要因を確定せず、機能的な要因に該当する可能性を示唆する血圧評価情報を表示部１００に出力させる。なお、表示部１００は、再測定を促す情報を表示することが好ましい。
【００６１】
第２の領域にプロットが属する場合、生体情報測定装置１は、血圧値が器質的に高くなっていることにより基準の血圧よりも高い高血圧症の可能性を示唆する情報を表示部１００に出力させる。プロットが第２の領域に属する場合には、血圧値が第４の閾値Ｔ４よりも大きいため、血圧値が基準の血圧よりも高いことが判定できる。また、その場合には自律神経指標が第３の閾値Ｔ３よりも小さいため、交感神経の影響により血圧が機能的に高くなっている可能性が低い。このため、血圧値が器質的な要因により基準の血圧よりも高いことを特定できる。このため、生体情報測定装置１は第２の領域にプロットが属する場合、血圧値が器質的な要因により基準の血圧よりも高い高血圧症であることを示唆する血圧評価情報を表示部１００に出力させる。
【００６２】
第３の領域にプロットが属する場合、生体情報測定装置１は、血圧値が正常であり、かつ、交感神経が優位な緊張した状態であることを示唆する血圧評価情報を表示部１００に出力させる。
【００６３】
第４の領域にプロットが属する場合、生体情報測定装置１は、血圧値が正常であり、かつ、副交感神経が優位なリラックスした状態であることを示唆する血圧評価情報を表示部１００に出力させる。
【００６４】
第５の領域にプロットする場合、生体情報測定装置１は、自律神経の影響により血圧が低くなっている可能性を示す血圧評価情報を表示部１００に出力させる。プロットが第５の領域に属する場合には、血圧値が第５の閾値Ｔ５よりも小さいため、血圧値が基準の血圧よりも低いことが判定できる。また、その場合には自律神経指標が第３の閾値Ｔ３よりも大きいため、交感神経が優位であることにより血圧が機能的に低くなっている可能性がある。このため、血圧値が器質的な要因により基準の血圧よりも低いか否かを特定できない。このため、生体情報測定装置１は第５の領域にプロットが属する場合、血圧値が基準の血圧よりも低い要因を確定せず、機能的な要因に該当する可能性を示唆する血圧評価情報を表示部１００に出力させる。なお、表示部１００は、再測定を促す情報を表示することが好ましい。
【００６５】
第６の領域にプロットが属する場合、生体情報測定装置１は、血圧値が器質的に低くなっていることにより基準の血圧よりも低い低血圧の可能性を示唆する情報を表示部１００に出力させる。プロットが第６の領域に属する場合には、血圧値が第５の閾値Ｔ５よりも小さいため、血圧値が基準の血圧よりも低いことが判定できる。また、その場合には自律神経指標が第３の閾値Ｔ３よりも小さいため、交感神経の影響により血圧が機能的に低くなっている可能性が低い。このため、血圧値が器質的な要因により基準の血圧よりも低いことを特定できる。このため、生体情報測定装置１は第６の領域にプロットが属する場合、血圧値が器質的な要因により基準の血圧よりも低い低血圧であることを示唆する血圧評価情報を表示部１００に出力させる。
【００６６】
生体情報測定装置１は、以下の作用および効果を奏する。
（１）血管が器質的および機能的に硬化している場合、血管硬さ指標はそれぞれの要因の影響を受けた血管の硬さを示す。一方、自律神経指標は自律神経の影響により血管が機能的に硬化している可能性を示唆することがある。このため、これらの２つの指標が提示されることにより、または、２つの指標が関連付けられることにより、血管硬さ指標により示される血管硬さがその硬さを有する要因を推定することができる。
【００６７】
生体情報測定装置１は、以上の事項を踏まえ自律神経指標および血管硬さ指標を算出する。このため、これらの指標を直接的もしくは間接的に測定者等に提供すること、または、これらの指標を関連付けた情報を直接的もしくは間接的に測定者等に提供することができる。このため、測定者等は生体情報測定装置１から直接的または間接的に提供される自律神経指標および血管硬さ指標に基づいて、血管硬さ指標の妥当性を判断することができる。または、測定者等は生体情報測定装置１から直接的または間接的に提供される自律神経指標と血管硬さ指標との関係に基づいて、血管硬さ指標の妥当性を判断することができる。このように、生体情報測定装置１は血管硬さの測定結果を適切に活用するための情報を測定者等に提供できる。
【００６８】
（２）血圧が器質的および機能的に上昇または低下している場合、血圧値はそれぞれの要因の影響を受けた血圧を示す。一方、自律神経指標は自律神経の影響により血圧が機能的に上昇または低下している可能性を示唆することがある。このため、これらの２つの指標が提示されることにより、または、２つの指標が関連付けられることにより、血圧値により示される血圧がその大きさを有する要因を推定することができる。
【００６９】
生体情報測定装置１は、以上の事項を踏まえ自律神経指標および血圧値に基づいて血圧評価情報を算出する。このため、血圧評価情報を直接的もしくは間接的に測定者等に提供することができる。このため、測定者等は生体情報測定装置１から直接的または間接的に提供される血圧評価情報に基づいて、血圧値の妥当性を判断することができる。このように、生体情報測定装置１は血圧の測定結果を適切に活用するための情報を測定者等に提供できる。
【００７０】
（３）生体情報測定装置１によれば、カフ１０により測定される結果に基づいて自律神経指標、血管硬さ指標、および、血圧値が算出される。このため、この３つの値を算出するために、それぞれの値に関する情報を個別に測定する場合よりも測定回数を少なくすることができる。このため、血管硬さ等を測定するための被測定者の負担が軽減される。
【００７１】
（４）生体情報測定装置１によれば、被測定者がカフ１０を装着することにより自律神経指標、血管硬さ指標、および、血圧値が測定される。このため、被測定者がカフに加えて別の部材を装着することにより自律神経指標、血管硬さ指標、および、血圧値を測定する構成と比較して、使い勝手がよい。
【００７２】
（５）生体情報測定装置１は、自律神経指標および血管硬さ指標を関連付けた硬さ評価情報を表示部１００により出力させる。この表示部１００は、硬さ評価情報を視覚的に測定者等に提供する。このため、測定者等は生体情報測定装置１の表示部１００から提供される硬さ評価情報に基づいて、血管硬さ指標の妥当性を判断することができる。このように、生体情報測定装置１は血管硬さの測定結果を適切に活用するための情報を測定者等に提供できる。
【００７３】
（６）生体情報測定装置１は、自律神経指標および血圧値を関連付けた血圧評価情報を表示部１００により出力させる。この表示部１００は、血圧評価情報を視覚的に測定者等に提供する。このため、測定者等は生体情報測定装置１の表示部１００から提供される血圧評価情報に基づいて、血圧値の妥当性を判断することができる。このように、生体情報測定装置１は血圧の測定結果を適切に活用するための情報を測定者等に提供できる。
【００７４】
（実施の形態２）
実施の形態２の生体情報測定装置２は、以下に説明する点において実施の形態１の生体情報測定装置１と相違し、その他の点において実施の形態１の生体情報測定装置１と実質的に同じ構成を備える。なお、実施の形態２の生体情報測定装置２の説明は、実施の形態１の生体情報測定装置１と共通する構成に同一の符号を付し、その構成の説明の一部または全部を省略している。
【００７５】
図６を参照して、生体情報測定装置２の構成について説明する。
生体情報測定装置２は、内圧が変化するカフ１０、心臓の電気的な情報を測定する複数の電極１１０、および、生体に関する情報を測定する測定装置２０を備える。測定装置２０は、電極１１０から心電図（図示略）を検出する心電検出部１３０を備える。
【００７６】
心電検出部１３０は、電極１１０から得られる電位差を増幅させる増幅器（図示略）、ノイズを除去するフィルター回路（図示略）、および、デジタル信号である心電図に関する情報を含む信号に変換するＡ／Ｄ変換器（図示略）を備える。心電検出部１３０は、電極１１０から心電図に関する情報を検出し、その検出した情報を自律神経指標算出部６０、血管硬さ指標算出部７０に出力する。
【００７７】
自律神経指標算出部６０は、心電図からＲ波を検出し、連続している２つのＲ波の間隔であって心拍の間隔と相関する心拍間隔を演算する。心拍間隔は、心拍数が所定の拍数に達するまで演算される。自律神経指標算出部６０は、この心拍間隔の変動に基づいて自律神経指標である自律神経活動度と、交感神経および副交感神経の優位性とを算出する。
【００７８】
血管硬さ指標算出部７０は、心電図のＲ波が生じる時刻と脈波のピークが生じる時刻との差である脈波の伝播時間を演算し、その伝播時間を心臓からカフ１０の位置までの距離で割ることにより脈波伝播速度を演算する。血管硬さ指標算出部７０は、この脈波伝播速度から血管硬さ指標を算出する。
【００７９】
図７Ａおよび図７Ｂを参照して、生体情報測定装置２の測定方法について説明する。
図７Ａは、自律神経指標の測定方法の一例を示している。被測定者は、カフ１０を上腕に装着し、電極１１０を所定の対象部位に装着して、生体情報測定装置２による測定を開始する。
【００８０】
圧力制御部３０は、ステップＳ４１において、カフ１０にエアーの供給を開始する。このため、カフ１０の内圧が上昇し始める。これにより、被測定者の上腕がカフ１０により締め付けられる。
【００８１】
圧力検出部４０は、ステップＳ４２において、カフ１０の内圧が所定の圧力に達したか否かを検出する。所定の圧力は、カフ１０の内圧から被測定者の脈波が検出可能な圧力である。一例として、被測定者の最低血圧の値である。カフ１０の内圧が所定の圧力に達していないと圧力検出部４０が検出したとき、圧力制御部３０がカフ１０にエアーを供給し続ける。カフ１０の内圧が所定の圧力に達したと圧力検出部４０が検出したとき、次のステップに移行する。
【００８２】
圧力制御部３０は、ステップＳ４３において、カフ１０へのエアーの供給を停止し、カフ１０の内圧が一定を保持するように制御する。
自律神経指標算出部６０は、ステップＳ４４において、心電検出部１３０により検出された心電図（図示略）からＲ波を検出し、心拍間隔を演算する。自律神経指標算出部６０は、ステップＳ４５において、被測定者の心拍数が所定の拍数に達したか否かを検出する。自律神経指標算出部６０は、被測定者の心拍数が所定の拍数に達していないと検出したとき、心拍間隔の演算を続行する。自律神経指標算出部６０は、被測定者の心拍数が所定の拍数に達したと検出したとき、次のステップに移行する。
【００８３】
自律神経指標算出部６０は、ステップＳ４６およびステップＳ４７において、生体情報測定装置１の自律神経指標の測定方法におけるステップＳ１５およびステップＳ１６と同様の方法により自律神経指標を算出する。
【００８４】
圧力制御部３０は、ステップＳ４８において、カフ１０からエアーを排気する。このため、カフ１０の内圧が下降し始める。これにより、被測定者の上腕へのカフ１０の締め付けが緩められる。以上のステップＳ４１〜ステップＳ４８により、自律神経指標の測定が終了する。
【００８５】
図７Ｂは、血管硬さ指標の測定方法の一例を示している。血管硬さ指標は、一例として、自律神経指標の測定と同時に測定される。なお、血管硬さ指標の測定方法におけるステップＳ５１〜ステップＳ５３、および、ステップＳ５７の内容は、ステップＳ４１〜ステップＳ４３、および、ステップＳ４８の内容と対応するため、その説明を省略する。
【００８６】
血管硬さ指標算出部７０は、ステップＳ５４において、心電図のＲ波の時刻と脈波のピークの時刻との差である脈波の伝播時間を演算する。血管硬さ指標算出部７０は、ステップＳ５５において、この伝播時間から脈波伝播速度を演算する。
【００８７】
血管硬さ指標算出部７０は、ステップＳ５６において、血管の硬さと相関して上昇する脈波伝播速度の特性を用いて血管硬さ指標を算出する。以上のステップＳ５１〜ステップＳ５７により、血管硬さ指標の測定が終了する。
【００８８】
生体情報測定装置２は、実施の形態１の（１）および（５）の効果に加えて、以下の作用および効果を奏する。
（７）生体情報測定装置２によれば、電極１１０から心電図が検出される。このため、心臓の電気活動を遅滞なく検出することができる。このため、生体情報測定装置２によれば、精度のよい自律神経指標が算出される。
【００８９】
（８）生体情報測定装置２によれば、脈波伝播速度を用いて血管硬さ指標が算出される。このため、心臓からカフ１０の位置までの広い範囲において、血管硬さ指標が測定される。
【００９０】
（９）生体情報測定装置２によれば、カフ１０の内圧が一定を保持するように制御される。このため、被測定者の心拍数が自律神経指標の測定に最適な拍数に達するまで心拍間隔を演算することができる。このため、生体情報測定装置２によれば、ＰＩ値が精度よく演算され、自律神経指標を一層正確に算出することができる。
【００９１】
（実施の形態３）
実施の形態３の生体情報測定装置３は、以下に説明する点において実施の形態１の生体情報測定装置１と相違し、その他の点において実施の形態１の生体情報測定装置１と実質的に同じ構成を備える。なお、実施の形態３の生体情報測定装置３の説明は、実施の形態１の生体情報測定装置１と共通する構成に同一の符号を付し、その構成の説明の一部または全部を省略している。
【００９２】
図８を参照して、生体情報測定装置３の構成について説明する。
生体情報測定装置３は、内圧が変化するカフ１０、開口（図示略）を有するハウジング２１０、および、生体に関する情報を測定する測定装置２０を備える。
【００９３】
ハウジング２１０の形状は、凹である。ハウジング２１０の内面には、光を連続的に出力する発光部２１１、および、光を検出する受光部２１２が取り付けられている。発光部２１１の一例は、ＬＥＤ（Light Emitting Diode）である。受光部２１２の一例は、ＰＤ（Photo Director）である。受光部２１２は、検出した光を電気信号に変換する。
【００９４】
測定装置２０は、発光部２１１の発光を制御する発光制御部２３０、および、受光部２１２の電気信号から生体の容積脈波に関する情報を検出する容積脈波検出部２４０を備える。
【００９５】
容積脈波検出部２４０は、電気信号を増幅させる増幅器（図示略）、ノイズを除去するフィルター回路（図示略）、および、電気信号をデジタル信号である容積脈波信号に変換するＡ／Ｄ変換器（図示略）を備える。容積脈波検出部２４０は、電気信号から生体の容積脈波に関する情報を含む容積脈波信号を検出し、この容積脈波信号を血管硬さ指標算出部７０に出力する。
【００９６】
血管硬さ指標算出部７０は、容積脈波信号を時間軸で２階微分することにより加速度脈波を演算する。血管硬さ指標算出部７０は、この加速度脈波により血管硬さ指標を算出する。
【００９７】
図９を参照して、生体情報測定装置３の測定方法について説明する。
図９は、血管硬さ指標の測定方法の一例を示している。被測定者は、ハウジング２１０の開口（図示略）から指尖を挿入し、生体情報測定装置３による測定を開始する。
【００９８】
発光制御部２３０は、ステップＳ６１において、発光部２１１の発光を開始する。受光部２１２は、発光部２１１からの光を電気信号に変換し、その電気信号を容積脈波検出部２４０に出力する。
【００９９】
容積脈波検出部２４０は、ステップＳ６２において、電気信号から被測定者の容積脈波に関する情報を含む容積脈波信号を検出する。容積脈波検出部２４０は、この容積脈波信号を血管硬さ指標算出部７０に出力する。
【０１００】
血管硬さ指標算出部７０は、ステップＳ６３において、容積脈波信号を時間軸で２階微分することにより加速度脈波を演算する。この加速度脈波には、ａ波、ｂ波、ｃ波、ｄ波、および、ｅ波と称する５つのピークが出現する。
【０１０１】
血管硬さ指標算出部７０は、ステップＳ６４において、加速度脈波からａ波、ｂ波、ｃ波、ｄ波、および、ｅ波のそれぞれの波高値（図示略）を検出する。血管硬さ指標算出部７０は、ステップＳ６５において、検出したそれぞれの波高値を次の式［４］に代入して演算し、血管硬さ指標Ｋを算出する。なお、式［４］におけるａ、ｂ、ｃ、ｄ、および、ｅは、ａ波の波高値、ｂ波の波高値、ｃ波の波高値、ｄ波の波高値、および、ｅ波の波高値である。
【０１０２】
【数４】
2016016279.tif 000006
発光制御部２３０は、ステップＳ６６において、発光部２１１の発光を停止する。以上のステップＳ６１〜ステップＳ６６により、血管硬さ指標の測定が終了する。
【０１０３】
また、自律神経指標の測定、および、血圧値の測定は、一例として、血管硬さ指標の測定と同時に測定される。自律神経の測定方法は、一例として、生体情報測定装置１の自律神経の測定方法に準じた測定方法である。血圧値の測定方法は、一例として、生体情報測定装置１の血圧値の測定方法に準じた測定方法である。なお、自律神経の測定方法のステップＳ１１、および、血圧値の測定方法のステップＳ３１は、血管硬さ指標の測定方法のステップＳ６１と同時に開始されることが好ましい。
【０１０４】
生体情報測定装置３は、実施の形態１の（１）、（２）、および（４）〜（６）の効果に加えて、以下の作用および効果を奏する。
（１０）生体情報測定装置３によれば、被測定者がハウジング２１０に指尖を挿入することにより血管硬さ指標が測定される。このため、血管硬さを測定するための被測定者の負担が軽減される。また、血管硬さ指標の測定に関する簡便性の向上に貢献できる。
【０１０５】
（変形例）
生体情報測定装置が取り得る具体的な形態は、上記各実施の形態に例示された形態に限定されない。生体情報測定装置は、本発明の目的が達成される範囲において、上記各実施の形態とは異なる各種の形態を取り得る。以下に示される上記各実施の形態の変形例は、生体情報測定装置が取り得る各種の形態の一例である。
【０１０６】
・実施の形態１の変形例の生体情報測定装置１によれば、血圧算出部８０が省略される。なお、実施の形態３においても本変形例に準じた変形が成立する。
・実施の形態１の変形例の生体情報測定装置１は、硬さ評価情報および血圧評価情報を決めるための判定マップを備える。変形例の判定マップは３次元座標であり、自律神経指標の軸、血管硬さ指標の軸、および、血圧値の軸により規定される。この場合、測定者等は自律神経指標、血管硬さ指標、および、血圧値を１つのマップから読み取ることができる。このため、測定者等が被測定者の測定結果を認識しやすくなる。なお、実施の形態３においても本変形例に準じた変形が成立する。
【０１０７】
・実施の形態２の変形例の生体情報測定装置２は、血圧算出部を備える。この血圧算出部は、実施の形態１の血圧算出部８０に準じた構成を持つ。例えば、変形例の生体情報測定装置２によれば、自律神経指標の測定、および、血管硬さの測定の後に、血圧の測定が開始される。
【０１０８】
血管硬さの測定に用いられる脈波伝播速度は、血圧の影響を受けることがある。この変形例によれば、血圧算出部により被測定者の血圧が算出される。このため、測定された血圧により脈波伝播速度の値を補正等することにより、一層正確な血管硬さに関する測定結果が得られる。
【０１０９】
・実施の形態２の変形例の電極１１０は、静電容量式である。この変形例の電極１１０は、衣服または椅子等に組み込むことができる。このため、被測定者が電極１１０を装着する手間が解消される。
【０１１０】
・実施の形態３の変形例の発光部２１１は、ランプである。
・実施の形態３の変形例の発光部２１１は、光をパルス変調して出力する。この変形例によれば、消費電力が低減する。
【０１１１】
・実施の形態３の変形例の生体情報測定装置３によれば、発光部２１１および受光部２１２がカフ１０に内蔵される。このため、変形例の生体情報測定装置３によれば、被測定者がカフ１０を装着することにより自律神経指標、血管硬さ指標、および、血圧値が測定される。このため、被測定者がカフに加えて別の部材を装着することにより自律神経指標、血管硬さ指標、および、血圧値を測定する構成と比較して、使い勝手がよい。
【０１１２】
・実施の形態３の変形例の生体情報測定装置３によれば、指尖が挿入されるハウジング２１０に代えて、耳等に取り付けられるハウジングを備える。このハウジングは、ハウジング２１０と実質的に同じ構成を持つ。この変形例によれば、被測定者の指が拘束されることなく測定できるため、使い勝手がよい。
【０１１３】
・実施の形態３の変形例の容積脈波検出部２４０は、フィルター回路（図示略）に代えて、Ａ／Ｄ変換器（図示略）によりＡ／Ｄ変換された容積脈波信号をデジタル信号処理するデジタルフィルター（図示略）を備える。
【０１１４】
・実施の形態３の変形例の自律神経指標算出部６０は、生体の容積脈波から自律神経指標を算出する。例えば、変形例の自律神経指標算出部６０は、容積脈波検出部２４０から容積脈波信号を受信し、この容積脈波信号から生体の脈波を時間軸に示したときのピークを検出し、連続している２つのピークの間隔であって心拍の間隔と相関する心拍間隔（図示略）を演算する。そして、この変形例の自律神経指標算出部６０は、生体情報測定装置１の自律神経指標の測定方法におけるステップＳ１５およびステップＳ１６と同様の方法により自律神経指標を算出する。この変形例によれば、被測定者がハウジング２１０に指尖を挿入することにより自律神経指標が測定される。このため、自律神経指標を測定するための被測定者の負担が軽減される。また、自律神経指標の測定に関する簡便性の向上に貢献できる。
【０１１５】
・各変形例の生体情報測定装置１〜３は、上腕に装着されるカフ１０に代えて、耳等に取り付けられるカフを備える。このカフは、カフ１０と実質的に同じ構成を持つ。この場合、被測定者の上腕が拘束されることなく測定できるため、使い勝手がよい。また、変形例のカフは、上腕に装着されるカフ１０よりも小さいため、携帯性が向上する。
【０１１６】
・各変形例の生体情報測定装置１〜３によれば、自律神経指標の測定、血管硬さ指標の測定、および、血圧値の測定が個別に測定される。
・各変形例の生体情報測定装置１〜３によれば、自律神経指標および血管硬さ指標を関連付けた補正硬さ評価情報を測定者等に提供する。補正硬さ評価情報は、血管硬さ指標を自律神経指標により補正した情報である。このため、測定者等は測定結果を容易に認識することができる。また、血管硬さ指標を再測定する必要が生じにくくなる。
【０１１７】
・各変形例の生体情報測定装置１〜３によれば、自律神経指標および血圧値を関連付けた補正血圧評価情報を測定者等に提供する。補正血圧評価情報は、血圧値を自律神経指標により補正した情報である。このため、測定者等は測定結果を容易に認識することができる。また、血圧値を再測定する必要が生じにくくなる。
【０１１８】
・各変形例の自律神経指標算出部６０は、例えば１０段階のレベルにより表される自律神経指標を算出する。
・各変形例の血管硬さ指標算出部７０は、例えば１０段階のレベルにより表される血管硬さ指標を算出する。
【０１１９】
・各変形例の自律神経指標算出部６０は、自律神経指標として、自律神経の機能のバランス（交感神経の機能と副交感神経の機能とのバランス）の指標を算出する。この自律神経指標は、例えば、周波数解析法のトータルパワー、または、ＬＦ（Low Frequency）成分およびＨＦ（Hi Frequency）成分の比（ＬＦ／ＨＦ）により算出される。
【０１２０】
・各変形例の表示部１００によれば、複数の領域に分割するための各閾値Ｔ１〜Ｔ５が測定者等により個別に設定される。
・各変形例の血圧評価情報を決めるための判定マップは、自律神経の軸、および、平均血圧または最低血圧により規定される。
【０１２１】
・各変形例の表示部１００は、自律神経指標および血管硬さ指標を個別に表示する。
・各変形例の表示部１００は、自律神経指標および血圧値を個別に表示する。
・各変形例の表示部１００は、被測定者の測定結果とともに、記憶部９０が記憶している過去の測定結果も加えて表示する。このため、被測定者は、過去の測定結果と比較することにより、改善の効果等を認識することができる。
【０１２２】
・各変形例の表示部１００は、ＬＥＤである。例えば、ＬＥＤの点灯方法を変更することにより測定結果を被測定者に認識させる。
・各変形例の表示部１００は、レーダーチャートにより測定結果を表示する。
【０１２３】
・各変形例の生体情報測定装置１〜３は、表示部１００に代えて、または、加えて、別の報知装置である報知部を備える。この報知部は、音声等により測定結果を被測定者に認識させる。
【０１２４】
・各変形例の生体情報測定装置１〜３は、動物の健康管理等の用途に利用できるような構成を備える。
【符号の説明】
【０１２５】
１，２，３…生体情報測定装置
１０…カフ
【図１】
2016016279.tif 000007
【図２Ａ】
2016016279.tif 000008
【図２Ｂ】
2016016279.tif 000009
【図２Ｃ】
2016016279.tif 000010
【図３Ａ】
2016016279.tif 000011
【図３Ｂ】
2016016279.tif 000012
【図４】
2016016279.tif 000013
【図５】
2016016279.tif 000014
【図６】
2016016279.tif 000015
【図７Ａ】
2016016279.tif 000016
【図７Ｂ】
2016016279.tif 000017
【図８】
2016016279.tif 000018
【図９】
2016016279.tif 000019